(57)【要約】【課題】金属感を呈し、軽く、しなやかなネックレスを提供する。【解決手段】金属調の光沢をもつラメ糸５をループ６の連鎖により編んで形成した金属調ニット紐２，３からなる金属調ネックレス１を採用する。【選択図】図１
2011177377.tif 000002
【特許請求の範囲】
【請求項１】
金属調の光沢をもつラメ糸（５）をループ（６）の連鎖により編んで形成した金属調ニット紐（２，３，１１）からなる金属調ネックレス。
【請求項２】
前記ラメ糸（５）は、金属を蒸着して光沢をもたせたフィルム状の平糸（８）を、芯糸（９）の外周にその表面を隙間なく覆うよう螺旋状に巻き付けて形成されている請求項１に記載の金属調ネックレス。
【請求項３】
前記ラメ糸（５）の直径が０．４〜１．０ｍｍである請求項２に記載の金属調ネックレス。
【請求項４】
前記金属調ニット紐（３）は、前記ラメ糸（５）を細長い筒状に丸編みして形成されている請求項１から３のいずれかに記載の金属調ネックレス。
【請求項５】
前記丸編みの１周あたりの編み目の数を３とした請求項４に記載の金属調ネックレス。
【請求項６】
前記金属調ニット紐（２）は、前記ラメ糸（５）を平編みして形成されたウェール方向に細長い平帯状の編み地（７）をウェール方向に沿って筒状にカールさせて形成されている請求項１から３のいずれかに記載の金属調ネックレス。
【発明の詳細な説明】
【技術分野】
【０００１】
この発明は、金属調の光沢をもつ金属調ネックレスに関する。
【背景技術】
【０００２】
装身用のネックレスとして、例えば、金属製のコマを多数連結したチェーンネックレスや、チェーンネックレスに宝石やハート等のペンダントを吊下げたペンダントネックレスなどが知られている。
【０００３】
そして、金属製のコマを多数連結したチェーンネックレスには、個々のコマのサイズを大きく設定してボリュームをもたせ、豪華な印象を演出するものがある（例えば、特許文献１）。しかし、このようなネックレスは重量があるので、長時間つけると肩や首が圧迫されて肩が凝りやすい。
【０００４】
また、金属のネックレスをつけた状態で汗をかくと、その汗で金属（例えば、めっきに含まれるニッケル）が溶け出して、ネックレスに触れる部分が皮膚炎（いわゆる金属アレルギー）を起こすことがある。そこで、金属アレルギーを起こしにくいネックレスとして、チタン製のネックレスが使用されることが多い。しかし、材質にチタンを採用した場合でも、鉄の半分程度の重さがあるので、ボリュームのあるデザインを採用すると肩が凝りやすい。
【０００５】
また、金属を使用しないネックレスとして、プラスチックや木製のビーズを連結したネックレスが知られているが、このようなネックレスには金属に特有の光沢がなく、金属のネックレスに比べて美感が大きく異なる。
【０００６】
また、金属製のコマを使用せずに金属の光沢をもたせたネックレスとして、一本の鎖に金属製のテープを螺旋状に巻き付けた可撓性の棒状部材を使用し、この棒状部材を首にかけるリング状に湾曲させて用いるものが知られている（特許文献２）。
【０００７】
しかし、このネックレスは、首にかける輪が一本の棒状部材なので、デザインが単調であり、見た目のボリュームがない。また、ボリュームを出すために上記棒状部材を太くすることもできるが、このようにするとネックレスのしなやかさが失われるので、ネックレスの付け心地が悪くなる。
【先行技術文献】
【特許文献】
【０００８】
【特許文献１】実開平７−３４７１０号公報
【特許文献２】実用新案登録第３０４３０１３号公報
【発明の概要】
【発明が解決しようとする課題】
【０００９】
この発明が解決しようとする課題は、金属感を呈し、軽く、しなやかなネックレスを提供することである。
【課題を解決するための手段】
【００１０】
上記の課題を解決するため、この発明の発明者は、金属調の光沢をもつラメ糸をループの連鎖により編んで形成した金属調ニット紐からなる金属調ネックレスを発案した。この金属調ネックレスは、ループの連鎖により形成された金属調ニット紐を使用しているので、各ループの変形によって柔軟に曲がり、しなやかである。また、金属調ニット紐はラメ糸からなるので、金属製のコマを連結したチェーンと比較して、極めて軽量である。
【００１１】
前記ラメ糸としては、例えば、金属を蒸着して光沢をもたせたフィルム状のラメ糸や、金属を蒸着して光沢をもたせたフィルム状の平糸をその幅よりも幅の大きい螺旋状の隙間が形成されるように芯糸の外周に螺旋状に巻き付けたラメ糸を採用してもよいが、前記平糸を芯糸の外周にその表面を隙間なく覆うよう螺旋状に巻き付けたラメ糸を採用すると好ましい。このようにすると、ラメ糸の表面全体が金属調の光沢を呈し、金属製の線材に見えるので、あたかも金属製の微小なコマを複雑につなぎ合わせてネックレスを形成しているかのような印象となる。
【００１２】
前記ラメ糸の直径は０．４〜１．０ｍｍの範囲に設定することができる。０．４ｍｍ以上に設定すると、ラメ糸が金属製の線材に見える視覚的効果が高くなる。また、１．０ｍｍ以下に設定すると、ラメ糸の柔軟性を確保することができ、ラメ糸を機械で編む作業が容易となる。
【００１３】
前記金属調ニット紐は、前記ラメ糸を細長い筒状に丸編みして形成することができる。このようにすると、ラメ糸のループが筒状に連なるので、平帯状に形成したニット紐と比べて、首にかけたときにニット紐にねじれがあっても、そのねじれが目立ちにくい。
【００１４】
この場合、前記丸編みの１周あたりの編み目の数を３とすることができる。このようにすると、金属調ニット紐の断面形状が三角形状となるので、金属調ニット紐を首の後ろの部分にかけたときにも、金属調ニット紐の断面が潰れにくく、金属製の微小なコマをつなぎ合わせたような印象を確保することができる。
【００１５】
一般に、平編みにより形成された編み地はウェール方向に沿って筒状にカールする性質がある。この性質を利用して、前記金属調ニット紐は、前記ラメ糸を平編みして形成されたウェール方向に細長い平帯状の編み地をウェール方向に沿って筒状にカールさせて形成することもできる。このようにすると、金属調ニット紐の太さが太くなり、ボリュームのあるデザインを効果的に演出することができる。また、１周あたりの編み目の数が多い筒編みにより太い金属調ニット紐を形成する場合と比較して、筒内にも編み目組織が入り込むので、見た目のループの重なりが多くなり、ボリューム感を得やすい。
【発明の効果】
【００１６】
この発明の金属調ネックレスは、金属調の光沢をもつラメ糸を編んで形成しているので、あたかも金属製の微小なコマを複雑につなぎ合わせて形成されているかのような印象を呈する。そして、ループの連鎖により形成された金属調ニット紐を使用しているので、各ループの変形によって柔軟に曲がり、しなやかである。また、金属製のコマを連結したチェーンネックレスと比較して極めて軽量であり、ボリュームのあるデザインを採用しても肩が凝りにくい。また、金属製のコマを連結したチェーンネックレスと比較して、金属アレルギーを起こしにくい。
【図面の簡単な説明】
【００１７】
【図１】この発明の第１実施形態の金属調ネックレスの全体図
【図２】図１の金属調ネックレスを構成するラメ糸の展開図
【図３】図２のIII−III線に沿った拡大断面図
【図４】図１に示す金属調ネックレスの胸の前に垂れ下がる部分の金属調ニット紐を展開した編み地を示す拡大図
【図５】（ａ）は図４に示す編み地の断面図、（ｂ）は（ａ）に示す編み地がカールした状態を示す断面図
【図６】図４に示す編み地が一部カールした状態を示す平面図
【図７】（ａ）は図１に示す金属調ネックレスの首の後ろにかかる部分の金属調ニット紐を示す拡大図、（ｂ）は（ａ）に示す金属調ニット紐の端面図
【図８】この発明の第２実施形態の金属調ネックレスの全体図
【図９】図８に示す金属調ニット紐を展開した編み地を示す拡大図
【図１０】図９に示す編み地を図８に示す金属調ニット紐に変形させる過程を示す図であり、（ａ）は図９に示す編み地の斜視図、（ｂ）は（ａ）に示す編み地の一端を編み地の穴に挿入する直前の状態を示す図、（ｃ）は（ａ）に示す編み地の一端を編み地の穴に挿入した直後の状態を示す図
【図１１】この発明の第３実施形態の金属調ネックレスの全体図
【発明を実施するための形態】
【００１８】
図１に、この発明の第１実施形態の金属調ネックレス１を示す。この金属調ネックレス１は、首にかけたときに胸の前に垂れ下がる複数の金属調ニット紐２と、首の後ろにかかる金属調ニット紐３とからなる。各金属調ニット紐２の両端は、金具４を介して金属調ニット紐３の両端に接続されている。
【００１９】
金属調ニット紐２は、図４に示すように、ラメ糸５をループ６の連鎖により編んで形成されており、具体的には、ラメ糸５を平編みして形成されたウェール方向（図４における縦方向）に細長い平帯状の編み地７からなる。一般に、平編みにより形成された編み地７は表側と裏側とで外観が異なり（図４は裏側の外観を示す）、図５（ａ）、（ｂ）および図６に示すように裏側が内側となるようにウェール方向に沿って筒状にカールする性質がある。この性質を利用して、金属調ニット紐２は、平帯状の編み地７をウェール方向に沿って筒状にカールさせて形成されている。なお、平編みは、編み組織を構成するすべてのループ６の頂点が編み地７の片面側に存在する編み組織であり、ループ６の頂点が存在する側が裏側である。
【００２０】
図２、図３に示すように、ラメ糸５は、フィルム状の平糸８を芯糸９の外周にその表面を隙間なく覆うよう螺旋状に巻き付けて形成されている。平糸８は、金属を蒸着させることによって金属調の光沢が付与されており、この平糸８を巻き付けて形成されたラメ糸５は、その表面全体に金属調の光沢をもっている。平糸８は、樹脂（例えばポリエステルやナイロン）製の透明フィルムに金属（例えば銀やアルミニウム）を真空蒸着したものを、０．４ｍｍ〜１．０ｍｍ程度の幅に裁断して得ることができる。
【００２１】
このラメ糸５は、金属を蒸着した平糸８が芯糸９の外周を隙間なく覆っているので、表面全体が金属調の光沢を呈し、金属製の線材に見える。そのため、このラメ糸５で形成された金属調ニット紐２は、あたかも金属製の微小なコマを複雑につなぎ合わせて形成されているかのような印象を呈する。
【００２２】
平糸８は、その幅を０．４ｍｍ以上に設定すると好ましい。このようにすると、平糸８の表面積が広くなるので、鏡面状の光沢をラメ糸５の表面に出すことが可能となる。また、平糸８の幅を１．０ｍｍ以下に設定すると、ラメ糸５の柔軟性を確保することができ、ラメ糸５を機械で編む作業が容易となる。
【００２３】
蒸着する金属としてアルミニウムを用いると安価であるが、銀を用いると高級感のある光沢を出すことができる。また、金属を樹脂フィルムに蒸着する前に樹脂フィルムをあらかじめ染色したり、金属を蒸着した後に樹脂フィルムを染色したりして、平糸８を着色してもよい。黄色に着色すると、金のような光沢を出すことができる。赤や青などの色に着色してもよい。
【００２４】
樹脂フィルムに金属を蒸着した後、その金属蒸着面を透明の樹脂フィルムでコーティングして蒸着金属を密封してもよい。このようにすると、蒸着金属の光沢が酸化により劣化するのを防止することができる。
【００２５】
また、樹脂フィルムに金属を蒸着した後、その金属の上に和紙を貼ってもよい。このようにすると、和紙の繊維によって平糸８にハリとコシが出るので、この平糸８を用いたラメ糸５のループ６の形状が崩れにくくなり、金属製の微小なコマのような印象を強調することができる。
【００２６】
芯糸９は、撚り合わせを行なっていない単糸を用いることもできるが、図２、図３に示すように、複数の糸９ａを撚り合わせた糸を用いると、糸の強度を高めることができるので好ましい。この場合、３本の糸９ａを撚り合わせた芯糸９を用いると、２本の糸９ａを撚り合わせたものよりも芯糸９の断面形状が真円に近くなるので、ラメ糸５が金属製の線材に見える効果が高くなる。芯糸９を構成する各糸９ａは、例えば、ポリエステルやレーヨンの化学繊維のフィラメントからなる糸を用いてもよく、和紙繊維を混紡した糸を用いてもよい。このようにすると、和紙繊維によって芯糸９にハリとコシが出るので、この芯糸９を用いたラメ糸５のループ６の形状が崩れにくくなり、金属製の微小なコマのような印象を強調することができる。和紙繊維の混紡率は、１０％以上とすると芯糸９のハリとコシを高める効果を得ることができ、２０％以下とするとネックレスとしての耐久性を確保することができる。
【００２７】
ラメ糸５の直径は、０．４〜１．０ｍｍの範囲で設定すると好ましい。０．４ｍｍ以上に設定すると、ラメ糸５が金属製の線材に見える視覚的効果が高くなる。また、１．０ｍｍ以下に設定すると、ラメ糸５の柔軟性を確保することができ、ラメ糸５を機械で編む作業が容易となる。ラメ糸５の直径は、分解能が０．０５ｍｍのノギスで測定し、その測定値を四捨五入することにより得ることができる。
【００２８】
図４において、編み地７の密度は、ウェール方向（図４における縦方向）には２５．４ｍｍあたりのウェール数が４〜６に相当する密度に設定され、コース方向（図４における横方向）には２５．４ｍｍあたりのコース数が５〜８に相当する密度に設定されている。これにより、各ループ６内に適度な空間が形成され、編み地７を筒状にカールさせたときに鎖のような印象が生じる。
【００２９】
金属調ニット紐３は、図７（ａ）に示すように、ラメ糸５をループ６の連鎖により編んで形成されており、具体的には、ラメ糸５を細長い筒状に丸編みして形成されている。図７（ｂ）に示すように、丸編みの１周あたりの編み目の数は３となっている。金属調ニット紐３を構成するラメ糸５は、上述した金属調ニット紐２のラメ糸５と同様に構成されている。
【００３０】
この金属調ネックレス１は、金属調の光沢をもつラメ糸５を編んで形成しているので、あたかも金属製の微小なコマを複雑につなぎ合わせて形成されているかのような印象を呈する。そして、ループ６の連鎖により形成された金属調ニット紐２，３を使用しているので、各ループ６の変形によって柔軟に曲がり、しなやかである。また、金属製のコマを連結したチェーンネックレスと比較して極めて軽量であり、肩が凝りにくい。また、金属製のコマを連結したチェーンネックレスと比較して、金属アレルギーを起こしにくい。
【００３１】
また、この金属調ネックレス１は、首の後ろにかかる部分の金属調ニット紐３が、筒状にループ６が連なる丸編みによって形成されているので、平帯状に形成したニット紐と比べて、首にかけたときにニット紐にねじれがあっても、そのねじれが目立ちにくい。
【００３２】
さらに、この金属調ネックレス１は、首の後ろにかかる部分の金属調ニット紐３の１周あたりの編み目の数が３であり、金属調ニット紐３の断面形状が三角形状となっているので、金属調ニット紐を首の後ろの部分にかけたときにも、金属調ニット紐３の断面が潰れにくく、金属製の微小なコマをつなぎ合わせたような印象を確保することができる。
【００３３】
また、この金属調ネックレス１は、平編みにより形成した編み地７が筒状にカールする性質を利用して、胸の前に垂れ下がる部分の金属調ニット紐２の太さを太くし、ボリュームのあるデザインを演出している。
【００３４】
ここで、ボリュームのあるデザインを演出するため、１周あたりの編み目の数が多い丸編みにより太い金属調ニット紐２を形成することも可能であるが、このようにした場合と比較して、上述した平編みの編み地７を筒状にカールさせて太い金属調ニット紐２を形成した場合の方が、筒内にも編み目組織が入り込むので、見た目のループ６の重なりが多くなり、ボリューム感を得やすい。
【００３５】
図８に、この発明の第２実施形態の金属調ネックレス１０を示す。この金属調ネックレス１０は、金属調ニット紐１１の両端に取り付けた連結具１２を首の後ろで連結することにより装着するものである。
【００３６】
図９に示すように、金属調ニット紐１１は、ラメ糸５を平編みして形成したウェール方向（図９における縦方向）に細長い平帯状の編み地１３からなる。編み地１３には、ウェール方向に間隔をおいて一定の間隔をおいて複数の穴１４が形成されている。この穴１４は、例えば、平編みの編み目を隣の編み目に目移しすることにより形成することができる。
【００３７】
そして、このように形成された編み地１３は、図１０（ａ）〜（ｃ）に示すように、編み地１３の一端を穴１４に通し、次に隣の穴１４に通し、・・・というように、編み地１３の一端を各穴１４に順々に通す操作を繰り返すことにより、図８に示すように、編み地１３を各穴１４の部分で絞った形状の金属調ニット紐１１となる。金属調ニット紐１１を構成するラメ糸５は、第１実施形態で説明したラメ糸５と同様に構成されている。
【００３８】
この金属調ネックレス１０は、第１実施形態と同様、金属調の光沢をもつラメ糸５を編んで形成しているので、あたかも金属製の微小なコマを複雑につなぎ合わせて形成されているかのような印象を呈する。そして、ループ６の連鎖により形成された金属調ニット紐１１を使用しているので、各ループ６の変形によって柔軟に曲がり、しなやかである。また、金属製のコマを連結したチェーンネックレスと比較して極めて軽量であり、肩が凝りにくい。
【００３９】
図１１に、この発明の第３実施形態の金属調ネックレス１５を示す。この金属調ネックレス１５は、第１実施形態で説明した金属調ニット紐３と同じ構成の金属調ニット紐３を複数本用意し、その金属調ニット紐３の両端を束ねて連結具１６を取り付けたものである。この金属調ネックレス１５も第１実施形態と同様の効果を有する。
【符号の説明】
【００４０】
１      金属調ネックレス
２      金属調ニット紐
３      金属調ニット紐
５      ラメ糸
６      ループ
７      編み地
８      平糸
９      芯糸
１０    金属調ネックレス
１１    金属調ニット紐
１５    金属調ネックレス
【図１】
2011177377.tif 000003
【図２】
2011177377.tif 000004
【図３】
2011177377.tif 000005
【図４】
2011177377.tif 000006
【図５】
2011177377.tif 000007
【図６】
2011177377.tif 000008
【図７】
2011177377.tif 000009
【図８】
2011177377.tif 000010
【図９】
2011177377.tif 000011
【図１０】
2011177377.tif 000012
【図１１】
2011177377.tif 000013
【手続補正書】
【提出日】平成22年5月28日(2010.5.28)
【手続補正１】
【補正対象書類名】特許請求の範囲
【補正対象項目名】全文
【補正方法】変更
【補正の内容】
【特許請求の範囲】
【請求項１】
金属調の光沢をもつラメ糸（５）をループ（６）の連鎖により編んで形成した金属調ニット紐（２，３，１１）からなり、前記ラメ糸（５）は、金属を蒸着して光沢をもたせたフィルム状の平糸（８）を、芯糸（９）の外周にその表面を隙間なく覆うよう螺旋状に巻き付けて形成され、前記芯糸（９）は複数の糸（９ａ）を撚り合わせた糸であり、その芯糸（９）を構成する各糸（９ａ）が化学繊維のフィラメントからなる糸、あるいはこれに和紙繊維を混紡した糸である金属調ネックレス。
【請求項２】
前記ラメ糸（５）の直径が０．４〜１．０ｍｍである請求項１に記載の金属調ネックレス。
【請求項３】
前記金属調ニット紐（３）は、前記ラメ糸（５）を細長い筒状に丸編みして形成されている請求項１または２に記載の金属調ネックレス。
【請求項４】
前記丸編みの１周あたりの編み目の数を３とした請求項３に記載の金属調ネックレス。
【請求項５】
前記金属調ニット紐（２）は、前記ラメ糸（５）を平編みして形成されたウェール方向に細長い平帯状の編み地（７）をウェール方向に沿って筒状にカールさせて形成されている請求項１または２に記載の金属調ネックレス。